(57)【要約】      （修正有）【課題】運転性が安定し、昇温速度が速く、熱抵抗がなく、電磁波がなく、伝熱面積が広く、使用寿命が長いなどのメリットを有するＰＴＣセラミック加熱ドライヤーを提供する。【解決手段】ＰＴＣセラミック加熱ドライヤーであって、主にドライヤーのハウジング１０内部に固定部３０が設けられ、固定部はドライヤーの風入口１２端部において吸気装置２０が設置され、ドライヤーの吹出し口１３端部においてＰＴＣセラミックヒーター４０が設置される。ＰＴＣセラミックヒーターはＰＴＣセラミックサーミスタ及びＰＴＣセラミックサーミスタの側面に張り付く放熱装置により構成される。高熱効率のＰＴＣセラミックサーミスタ材料を発熱体として、また、高表面積の放熱シートを放熱装置として用いる。【選択図】図１
0003229546.tif 000002
【実用新案登録請求の範囲】
【請求項１】
ハウジングと、固定部と、吸気装置とを含むＰＴＣセラミック加熱ドライヤーであって、前記ハウジングは取っ手と、風入口と、吹出し口とを備え、前記取っ手は電源制御器を備え、前記固定部はハウジング内部に設けられ、風入口端部において吸気装置が設置され、吹出し口端部においてＰＴＣセラミックヒーターが設置され、前記ＰＴＣセラミックヒーターはＰＴＣセラミックサーミスタ及びＰＴＣセラミックサーミスタの側面に張り付く放熱装置により構成されることを特徴とするＰＴＣセラミック加熱ドライヤー。
【請求項２】
前記放熱装置は長方形、円形、多辺形のうちの何れか一つである、請求項１に記載のＰＴＣセラミック加熱ドライヤー。
【請求項３】
前記長方形の放熱装置はフレーム及びフレームの内側面に張り付く放熱シートを含む、請求項２に記載のＰＴＣセラミック加熱ドライヤー。
【請求項４】
前記放熱シートの形状は矩形、Ｕ字形、波形形状及びジグザグ形のうちの何れか一つである、請求項３に記載のＰＴＣセラミック加熱ドライヤー。
【請求項５】
前記円形の放熱装置はフレーム及びフレームの外側に放射状で設置されている放熱シートを含む、請求項２に記載のＰＴＣセラミック加熱ドライヤー。
【請求項６】
前記ＰＴＣセラミックヒーターは温度制御器を含み、前記温度制御器は固定部に設けられる、請求項１に記載のＰＴＣセラミック加熱ドライヤー。
【請求項７】
前記ＰＴＣセラミックヒーターは降圧コイルを含み、前記降圧コイルは固定部に巻き回される、請求項１に記載のＰＴＣセラミック加熱ドライヤー。
【請求項８】
ＬＥＤ光波生成器を含み、前記ＬＥＤ光波生成器は固定部の吹出し口端部に設けられ、ＰＴＣセラミックヒーターの後方に位置する、請求項１に記載のＰＴＣセラミック加熱ドライヤー。
【請求項９】
前記ＬＥＤ光波生成器はドライヤーのハウジングの上方に設置される、請求項８に記載のＰＴＣセラミック加熱ドライヤー。
【請求項１０】
前記ＬＥＤ光波生成器はドライヤーのハウジング端部の吹出し口に設置される、請求項８に記載のＰＴＣセラミック加熱ドライヤー。
【請求項１１】
遠赤外線多孔質セラミックを含み、前記遠赤外線多孔質セラミックは固定部の吹出し口端部に設けられる、請求項８に記載のＰＴＣセラミック加熱ドライヤー。
【請求項１２】
マイナスイオン生成器を含み、前記マイナスイオン生成器は取っ手の内部に設けられ、前記マイナスイオン生成器の放電針は固定部に設けられる、請求項１に記載のＰＴＣセラミック加熱ドライヤー。
【考案の詳細な説明】
【技術分野】
【０００１】
本発明はドライヤーの技術分野に関連し、特に高熱効率のＰＴＣセラミックサーミスタ材料を発熱体として、また、高表面積の放熱シートを放熱装置として用いるＰＴＣセラミック加熱ドライヤーに関連する。
【背景技術】
【０００２】
従来使われているドライヤーは内部にニクロム抵抗コイルが巻き回されているため、以下の欠点が存在する。１．ニクロム線が熱や振動により切れてしまい、使えなくなることが多い。２．熱風が伝統的なニクロムコイルを通過して流れる時、導流装置がないので、乱流が生じやすく、髪を乾かす時、髪が乱れやすくて形を保ちにくい。３．従来使われている電熱線に通電すると、金属の匂いが出るので、人の健康に影響を与える。
【考案の概要】
【考案が解決しようとする課題】
【０００３】
本発明は高熱効率のＰＴＣセラミックサーミスタ材料を発熱体として、また、高表面積の放熱シートを放熱装置として用い、運転性が安定し、昇温速度が速く、熱抵抗がなく、電磁波がなく、伝熱面積が広く、使用寿命が長いなどのメリットを有するＰＴＣセラミック加熱ドライヤーを提供することを主要目的とする。
【０００４】
本発明のもう一つの目的は、マイナスイオンを放出し、遠赤外線及び光波によるマッサージ効果があるＰＴＣセラミック加熱ドライヤーを提供することにある。
【０００５】
上記した目標を達成するために、本発明はＰＴＣセラミック加熱ドライヤーを提供する。当該ＰＴＣセラミック加熱ドライヤーはハウジングと固定部を含み、当該ハウジングに取っ手、風入口、吹出し口があり、当該取っ手に電源制御器を備え、当該固定部はハウジング内部に設けられ、風入口端部において吸気装置が設置され、吹出し口端部においてＰＴＣセラミックヒーターが設置され、当該ＰＴＣセラミックヒーターはＰＴＣセラミックサーミスタ及びＰＴＣセラミックサーミスタの側面に張り付く放熱装置により構成される。
【０００６】
本発明の一つの好ましい実施例において、当該放熱装置は長方形や円形であり、当該長方形の放熱装置はフレームとフレームの内側面に張り付く放熱シートを備え、当該円形の放熱装置はフレームとフレームの外側面に放射状で設置されている放熱シートを備え、当該長方形の放熱装置にある放熱シートの形状は矩形、Ｕ字形、波形形状及びジグザグ形のうちの何れか一つである。
【図面の簡単な説明】
【０００７】
【図１】本発明のドライヤーの組み合わせの断面図である。
【図２】本発明のドライヤーの吸気装置、固定部、ＰＴＣセラミックヒーター、遠赤外線多孔質セラミック、光波生成器及びマイナスイオン生成器の組み合わせの立体図である。
【図３】図２の分解図である。
【図４】図２を別の角度から見た組み合わせの立体図である。
【図５】図４の部分的な分解図である。
【図６】図４の側視図である。
【図７】図５の側視図である。
【図８】本発明の長方形のＰＴＣセラミックヒーターの側視図である。
【図９】本発明の円形のＰＴＣセラミックヒーターの立体図である。
【図１０】本発明図９の円形のＰＴＣセラミックヒーターの側視図である。
【図１１】本発明のＬＥＤ光波生成器がドライヤーのハウジングの上方に設けられる部分的なイメージ図である。
【図１２】図１１の前視図である。
【図１３】本発明のＬＥＤ光波生成器がドライヤーの吹出し口のハウジング端部に設けられる部分的なイメージ図である。
【図１４】図１３の前視図である。
【考案を実施するための形態】
【０００８】
図１と図７に示すように、本発明のＰＴＣセラミック加熱ドライヤーはハウジング１０、電源制御器１４、吸気装置２０、固定部３０、ＰＴＣセラミックヒーター４０、温度制御器４４及び降圧コイル４５を含む。当該ハウジング１０は取っ手１１、風入口１２、吹出し口１３を備える。当該電源制御器１４は当該取っ手１１に設けられる。当該吸気装置２０は当該ハウジング１０の当該風入口１２の端部の近くに設けられる。当該固定部３０の風入口は当該吸気装置２０の吹出し端部に設けられる。当該ＰＴＣセラミックヒーター４０は固定部の吹出し口端部に設けられる。
【０００９】
図２と図５に示すように、当該固定部３０は二つの雲母シートにより十字状に構成される。固定部３０の風入端部は吸気装置２０の吹出し端部に接続され、その吹出し端部はハウジング１０の吹出し口端部に設けられる。
【００１０】
図２と図１０に示すように、当該ＰＴＣセラミックヒーター４０は固定素子４３により十字状の固定部３０に固定される。当該ＰＴＣセラミックヒーター４０は二つのＰＴＣセラミックサーミスタ４１及びＰＴＣセラミックサーミスタ４１の両側面に張り付く三つの放熱装置４２により構成される。図８に示すように、放熱装置４２はフレーム４２１及びジグザグ形でフレーム４２１の内側面に張り付く放熱シート４２２により構成される。本発明の当該放熱装置４２は長方形や円形であってもよい。図１から図８は長方形の実施例を示したものであり、図９と図１０は円形の実施例を示したものである。
【００１１】
図９と図１０に示すように、ＰＴＣセラミックヒーター４０ａは二つのＰＴＣセラミックサーミスタ４１ａ及び二つのＰＴＣセラミックサーミスタ４１ａの外側面に張り付く円形の放熱装置４２ａにより構成される。その放熱装置４２ａはフレーム４２１ａとフレーム４２１ａの外側に放射状で設置されている放熱シート４２２ａにより構成される。
【００１２】
また、図９と図１０に示すように、ＰＴＣセラミックヒーター４０ａは二つのＰＴＣセラミックサーミスタ４１ａの内側面に張り付く長方形の放熱装置４２ｂも含む。放熱装置４２ｂの構造は、図８に示した長方形の放熱装置４２と同じであり、内外に放熱する効果を提供することができる。
【００１３】
図３に示すように、本発明のＰＴＣセラミックヒーター４０は温度制御器４４及び降圧コイル４５も含む。温度制御器４４は固定素子４３により固定部３０に固定され、降圧コイル４５は固定部３０に巻き回される。
【００１４】
図１から図７に示すように、本発明のＰＴＣセラミック加熱ドライヤーはＬＥＤ光波生成器５０、遠赤外線多孔質セラミック６０及びマイナスイオン生成器７０も含む。当該ＬＥＤ光波生成器５０は固定部３０の吹出し口端部に設けられ、ＰＴＣセラミックヒーター４０の後方に位置する。また、図１１と図１２に示すように、当該ＬＥＤ光波生成器５０はドライヤーのハウジング１０の上方に設置されてもよく、或いは、図１３と図１４に示すように、ドライヤーのハウジング端部の吹出し口１３に設置されてもよい。
【００１５】
図１から図７に示すように、遠赤外線多孔質セラミック６０は固定部３０の吹出し口端部に設けられ、ＬＥＤ光波生成器５０の前方に位置する。
【００１６】
図１から図７に示すように、マイナスイオン生成器７０は取っ手１１の内部に設けられ、マイナスイオン生成器７０の放電針７１は固定部３０に設けられる。
【符号の説明】
【００１７】
１０−ハウジング
１１−取っ手
１２−風入口
１３−吹出し口
１４−電源制御器
２０−吸気装置
３０−固定部
４０−ＰＴＣセラミックヒーター
４１−ＰＴＣセラミックサーミスタ
４２−放熱装置
４２１−フレーム
４２２−放熱シート
４０ａ−ＰＴＣセラミックヒーター
４１ａ−ＰＴＣセラミックサーミスタ
４２ａ−放熱装置
４２１ａ−フレーム
４２２ａ−放熱シート
４２ｂ−放熱装置
４２１ｂ−フレーム
４２２ｂ−放熱シート
４３−固定素子
４４−温度制御器
４５−降圧コイル
５０−ＬＥＤ光波生成器
６０−遠赤外線多孔質セラミック
７０−マイナスイオン生成器
７１−放電針
【図１】
0003229546.tif 000003
【図２】
0003229546.tif 000004
【図３】
0003229546.tif 000005
【図４】
0003229546.tif 000006
【図５】
0003229546.tif 000007
【図６】
0003229546.tif 000008
【図７】
0003229546.tif 000009
【図８】
0003229546.tif 000010
【図９】
0003229546.tif 000011
【図１０】
0003229546.tif 000012
【図１１】
0003229546.tif 000013
【図１２】
0003229546.tif 000014
【図１３】
0003229546.tif 000015
【図１４】
0003229546.tif 000016